(57)【要約】      （修正有）【課題】患者のプライバシーを十分に守りながら、患者が服薬時間帯等を守って服薬したことを第三者が確認することができる服薬確認装置を提供する。【解決手段】患者が薬剤を服用するときに飲用する水を入れるコップ１等の容器と、前記容器、前記容器の開口部１ａ等を覆う蓋カバー部２、又は前記容器を載せるコースター３に備えられ、患者が薬剤を水を用いて服用するときに発生する服薬関連音を収集するマイク４とを含み、患者が容器内の水を用いて薬剤を服用するだけで、第三者が患者のプライバシーを守りながら患者が服薬したことを確認できるようにした、服薬確認装置である。【選択図】図１
2019118766.tif 000002
【特許請求の範囲】
【請求項１】
患者が薬剤を服用するときに飲用する水を入れるコップ等の容器と、
前記容器、前記容器の開口部等を覆う蓋カバー部、又は前記容器を載せるコースターに備えられ、患者が薬剤を水を用いて服用するときに発生する服薬関連音を収集するマイク（スピーカとハードウェア的に兼用されるものであってもよい）と、
前記マイクが収集した服薬関連音を記録する服薬関連音記録部と、
を含み、患者が容器内の水を用いて薬剤を服用するだけで、第三者が患者のプライバシーを守りながら患者が服薬したことを確認できるようにした服薬確認装置。
【請求項２】
前記容器、前記容器の開口部等を覆う蓋カバー部、又は前記容器を載せるコースターに備えられ、患者に対し服薬すべき時刻若しくは時間帯又はそれに近い時刻若しくは時間帯であることを音声又はメロディその他の音響で知らせるスピーカ（マイクとハードウェア的に兼用されるものであってもよい）を含む、請求項１に記載の服薬確認装置。
【請求項３】
患者が薬剤を服用するときに飲用する水を入れるコップ等の容器と、
前記容器、前記容器の開口部等を覆う蓋カバー部、又は前記容器を載せるコースターに備えられ、患者に対し服薬すべき時刻若しくは時間帯又はそれに近い時刻若しくは時間帯であることを音声又はメロディその他の音響で知らせるスピーカ（マイクとハードウェア的に兼用されるものであってもよい）と、
患者が前記容器を使用して服薬のための水を飲用したことに関する情報を記録する水飲記録部と、
を含み、患者が容器内の水を用いて薬剤を服用するだけで、第三者が患者のプライバシーを守りながら患者が服薬したことを確認できるようにした服薬確認装置。
【請求項４】
前記容器、前記容器の開口部等を覆う蓋カバー部、又は前記容器を載せるコースターに備えられ、患者が薬剤を水を用いて服用するときに発生する服薬関連音を収集するマイク（スピーカとハードウェア的に兼用されるものであってもよい）を含み、前記水飲記録部は、前記マイクが収集した服薬関連音を記録するものである、請求項３に記載の服薬確認装置。
【請求項５】
前記患者が服薬するため前記容器から水を飲用するとき、当該薬剤又は水を服用又は飲用するときに発生する服薬関連音を収集し記録するように、前記マイク及び前記服薬関連音記録部を制御するマイク制御部をさらに含む請求項１，２又は４に記載の服薬確認措置。
【請求項６】
前記患者の服薬時間帯又はそれに近い時刻になったとき、患者に対し服薬時間帯であること又はそれが近づいたことを知らせる音声又はメロディその他の音響を出力するように、前記スピーカを制御するスピーカ制御部をさらに含む請求項２，３又は４に記載の服薬確認装置。
【請求項７】
前記服薬関連音記録部は、（ａ）前記容器、前記容器の開口部等を覆う蓋カバー部もしくは前記容器を載せるコースターに備えられ、（ｂ）前記容器、前記容器の開口部等を覆う蓋カバー部もしくは前記容器を載せるコースターから離れた場所に位置する端末に備えられ、又は（ｃ）前記容器、前記容器の開口部等を覆う蓋カバー部もしくは前記容器を載せるコースター又はその近傍に配置された送受信部と他の端末等を介して接続されたインターネット上のサーバーに備えられている、請求項１，２，４又は５に記載の服薬確認措置。
【請求項８】
前記マイク制御部は、（ａ）前記容器に備えられたマイク等の音響センサからの信号に基づいて、（ｂ）前記容器に備えられた水検知センサからの信号に基づいて、（ｃ）前記容器に備えられた傾きセンサからの信号に基づいて、又は（ｄ）前記容器の開口縁部又はその近傍部分に備えられた温度センサからの信号に基づいて、前記マイク及び前記服薬関連音記録部を制御するものである、請求項１，２，４，５又は７に記載の服薬確認装置。
【請求項９】
前記スピーカ制御部は、（ａ）計時部からの時刻情報に基づいて、又は（ｂ）インターネット上のサーバーからの情報に基づいて、前記スピーカを制御するものである、請求項２，３，４又は６に記載の服薬確認装置。
【発明の詳細な説明】
【技術分野】
【０００１】
本発明は、患者が各服薬時間を守って服薬していることを第三者が容易に確認できるようにする服薬確認装置に関する。
【背景技術】
【０００２】
従来より、患者が各服薬時間を守って規則正しく服薬することを促す装置又は用具が様々に提案されている。例えば、特許文献１においては、患者がカレンダー状に配列された各収容部内の薬剤を各服薬時間毎に取り出して服用することで患者が自らの規則正しい服薬を実現できるようにしたお薬カレンダーが提案されている。また、患者の服薬の様子を撮像したデータを記録し、その記録した撮像データに基づいて当該患者が本当に服薬しているかどうかを確認できるようにしたシステムなども一部に提案されている。
【先行技術文献】
【特許文献】
【０００３】
【特許文献１】特開２００２−２８２３３７号公報
【発明の概要】
【発明が解決しようとする課題】
【０００４】
しかしながら、特許文献１に示すような従来のお薬カレンダーだけでは、患者が本当に規則正しい服薬を行っているかどうかを第三者（例えば調剤薬局の薬剤師など）が確認できないという問題があった。また、前述のような、患者の服薬の様子を撮像し記録した画像データに基づいて当該患者が本当に服薬しているかどうかを確認できるようにした従来のシステムにおいては、患者の服薬の様子を撮像しその画像データを記録することが必要であることから、患者のプライバシー保護に欠ける側面があるという問題があった。本発明はこのような従来技術の問題点に着目して為されたものであって、患者のプライバシーを十分に守りながら、患者が服薬時間帯を守って服薬したことを第三者が容易に且つ確実に確認することができる服薬確認装置を提供することを目的とする。
【課題を解決するための手段】
【０００５】
以上のような課題を解決するための本発明による服薬確認装置は、患者が薬剤を服用するときに飲用する水を入れるコップ等の容器と、前記容器、前記容器の開口部等を覆う蓋カバー部、又は前記容器を載せるコースターに備えられ、患者が薬剤を水を用いて服用するときに発生する服薬関連音を収集するマイク（スピーカとハードウェア的に兼用されるものであってもよい）と、前記マイクが収集した服薬関連音を記録する服薬関連音記録部とを含み、患者が容器内の水を用いて薬剤を服用するだけで、第三者が患者のプライバシーを守りながら患者が服薬したことを確認できるようにしたものである。なお、この服薬確認装置においては、前記容器、前記容器の開口部等を覆う蓋カバー部、又は前記容器を載せるコースターに備えられ、患者に対し服薬すべき時刻若しくは時間帯又はそれに近い時刻若しくは時間帯であることを音声又はメロディその他の音響で知らせるスピーカ（マイクとハードウェア的に兼用されるものであってもよい）を含むようにしてもよい。
【０００６】
また、本発明による服薬確認装置は、患者が薬剤を服用するときに飲用する水を入れるコップ等の容器と、前記容器、前記容器の開口部等を覆う蓋カバー部、又は前記容器を載せるコースターに備えられ、患者に対し服薬すべき時刻若しくは時間帯又はそれに近い時刻若しくは時間帯であることを音声又はメロディその他の音響で知らせるスピーカ（マイクとハードウェア的に兼用されるものであってもよい）と、患者が前記容器を使用して服薬のための水を飲用したことに関する情報を記録する水飲記録部とを含み、患者が容器内の水を用いて薬剤を服用するだけで、第三者が患者のプライバシーを守りながら患者が服薬したことを確認できるようにしたものである。なお、本発明においては、前記容器、前記容器の開口部等を覆う蓋カバー部、又は前記容器を載せるコースターに備えられ、患者が薬剤を水を用いて服用するときに発生する服薬関連音を収集するマイク（スピーカとハードウェア的に兼用されるものであってもよい）を含むものでもよく、また前記水飲記録部は、前記マイクが収集した服薬関連音を記録するもの（服薬関連音記録部）であってもよい。
【０００７】
また、本発明による服薬確認装置においては、前記患者が服薬するため前記容器から水を飲用するとき、当該薬剤又は水を服用又は飲用するときに発生する服薬音又はそれに関連する音（服薬関連音）を収集して記録するように、前記マイク及び前記服薬関連音記録部を制御するマイク制御部をさらに含むものであってもよい。
【０００８】
また、本発明による服薬確認措置においては、前記患者の服薬時間帯又はそれに近い時刻になったとき、患者に対し服薬時間帯であること又はそれが近づいたことを知らせる音声又はメロディその他の音響を出力するように、前記スピーカを制御するスピーカ制御部をさらに含むようにしてもよい。
【０００９】
また、本発明による服薬確認装置においては、前記マイクが収集した音を記録する服薬関連音記録部は、（ａ）前記容器、前記容器の開口部等を覆う蓋カバー部もしくは前記容器を載せるコースターに備えられ、（ｂ）前記容器、前記容器の開口部等を覆う蓋カバー部もしくは前記容器を載せるコースターから離れた場所に位置する端末に備えられ、又は（ｃ）前記容器、前記容器の開口部等を覆う蓋カバー部もしくは前記容器を載せるコースター又はその近傍に配置された送受信部と他の端末等を介して接続されたインターネット上のサーバーに備えられたものであってもよい。
【００１０】
また、本発明による服薬確認措置においては、前記マイク制御部は、（ａ）前記容器に備えられたマイク等の音響センサからの信号（患者が服薬のために前記容器内の水を飲用するときの音をマイク等の音響センサが検出したことを示す信号）に基づいて、（ｂ）前記容器に備えられた水検知センサからの信号（患者が服薬のために前記容器内に水を入れたことを前記水検知センサが検出したことを示す信号）に基づいて、（ｃ）前記容器に備えられた傾きセンサからの信号（患者が服薬用の水を飲むために前記容器を傾けたことを前記傾きセンサが検出したことを示す信号）に基づいて、又は（ｄ）前記容器の開口縁部又はその近傍部分に備えられた温度センサからの信号（患者が服薬用の水を飲むために前記容器の開口縁部又はその周辺部分に患者の唇などの体温を有する身体部分を接触させたことを前記温度センサが検出したことを示す信号）に基づいて、前記マイク及び前記服薬関連音記録部を制御するものであってもよい。
【００１１】
さらに、本発明による服薬確認装置においては、前記スピーカ制御部は、（ａ）計時部からの時刻情報に基づいて、又は（ｂ）インターネット上のサーバーからの情報に基づいて、前記スピーカを制御するものであってもよい。
【発明の効果】
【００１２】
以上のように、本発明においては、患者が薬剤を服用するときに飲用する水を入れるコップ等の容器、前記容器の開口部等を覆う蓋カバー部、又は前記容器を載せるコースターに、患者が薬剤を水を用いて服用するときに発生する服薬関連音をマイクで収集し服薬関連音記録部に記録するようにしたので、患者が服薬する度に、その各服薬時の患者が水を飲む音などの服薬関連音（服薬音又はそれに関連する音）を、前記マイクにより収集することができるようになる。よって、本発明によれば、調剤薬局の薬剤師や医療機関の医師などの第三者は、患者が薬剤を服用する様子を撮像した画像などのような患者のプライバシーに深く関わる情報を収集しなくても、前記患者が服薬したときに発生する服薬関連音（患者のプライバシーに関わらない情報）を前記マイクで収集し記録してその服薬関連音を確認するだけで、患者のプライバシーを十分に守りながら、患者が本当に服薬時間帯を守って服薬したことを、容易に且つ確実に確認できるようになる。
【００１３】
また、本発明においては、患者が薬剤を服用するときに飲用する水を入れるコップ等の容器、前記容器の開口部等を覆う蓋カバー部、又は前記容器を載せるコースターに、患者に対し服薬すべき時刻若しくは時間帯又はそれに近い時刻若しくは時間帯であることを音声又はメロディその他の音響で知らせるスピーカと、患者が前記容器を使用して服薬のための水を飲用したことに関する情報を記録する水飲記録部とを備えるようにしたので、前記スピーカからの音声等の出力により患者が服薬すべき時間帯になったこと又はそれが近づいたことを患者に確実に知らせることができると共に、前記患者が服薬するために前記水を飲用したかどうかに関する情報（服薬関連音などの情報）を記録することができる。よって、本発明によれば、患者に対し各服薬時間帯になったこと又はそれが近づいたことをその都度に知らせて当該患者が規則正しい服薬を行うように誘導することができると共に、調剤薬局の薬剤師などの第三者が、前記記録した情報（服薬関連音などの情報）を確認するだけで、患者のプライバシーを十分に守りながら患者が服薬時間帯を守って服薬したことを容易に且つ確実に確認できるようになる。
【００１４】
また、本発明において、前記マイク制御部が、患者が服薬のために前記容器内の水を飲用する度に当該服薬時の服薬関連音（患者が水を飲む音など）を収集するように、前記マイク及び前記服薬関連音記録部を制御するようにしたときは、患者が服薬する度に発生する服薬関連音を適切かつ確実に収集できるようになる。
【００１５】
また、本発明において、前記スピーカ制御部が、患者の服薬時間帯又はその前後の時刻（それに近い時刻）になる度に、患者に対し服薬時間帯であること又はそれが近づいたことを知らせる音声又はメロディその他の音響を出力するように、前記スピーカを制御するようにしたときは、容易に、患者に対し規則正しい服薬を行うように誘導することができるようになる。
【００１６】
また、本発明において、（ａ）前記マイクが収集した音を記録する服薬関連音記録部を、前記容器、前記容器の開口部等を覆う蓋カバー部もしくは前記容器を載せるコースターに備えるようにしたときは、調剤薬局の薬剤師等の第三者は、例えば患者に前記服薬関連音記録部が備えられた容器、蓋カバー部又はコースターを調剤薬局等に持参させて前記服薬関連音記録部に記録された音データを確認することにより、容易に、当該患者が規則正しい服薬をしていたかどうかを確認することができ、（ｂ）前記マイクが収集した音を記録する服薬関連音記録部を、前記容器、前記容器の開口部等を覆う蓋カバー部もしくは前記容器を載せるコースターから離れた場所に位置する端末（スマートフォンなどの外部機器）に備えるようにしたときは、調剤薬局の薬剤師等の第三者は、例えば患者に前記服薬関連音を記録した端末を調剤薬局等に持参させて前記端末に記録された音データを確認することにより、容易に、当該患者が規則正しい服薬をしていたかどうかを確認することができ、（ｃ）前記マイクが収集した音を記録する服薬関連音記録部を、前記容器、前記容器の開口部等を覆う蓋カバー部もしくは前記容器を載せるコースター又はその近傍に配置された送受信部と他の端末等を介して接続されたインターネット上のサーバーに備えるようにしたときは、調剤薬局の薬剤師等の第三者は、例えば前記サーバー（調剤薬局などが運営するサーバー）に記録された当該患者の各服薬時間帯の日時に対応する各服薬関連音を確認することにより、容易に、当該患者が規則正しい服薬をしていたかどうかを確認することができるようになる。
【００１７】
また、本発明において、前記マイク制御部が、前記マイク及び前記服薬関連音記録部を制御して前記服薬関連音を収集して記録するタイミング等を、例えば、（ａ）前記容器に備えられたマイク等の音響センサからの信号（患者が服薬のために前記容器内の水を飲用するときの音をマイク等の音響センサが検出したことを示す信号）に基づいて、（ｂ）前記容器に備えられた水検知センサからの信号（患者が服薬のために前記容器内に水を入れたことを前記水検知センサが検出したことを示す信号）に基づいて、（ｃ）前記容器に備えられた傾きセンサからの信号（患者が服薬用の水を飲むために前記容器を傾けたことを前記傾きセンサが検出したことを示す信号）に基づいて、又は（ｄ）前記容器の開口縁部又はその近傍部分に備えられた温度センサからの信号（患者が服薬用の水を飲むために前記容器の開口縁部又はその周辺に患者の唇などの体温を有する身体部分を接触させたことを前記温度センサが検出したことを示す信号）に基づいて、取得し、この取得したタイミング等に基づいて、前記マイク及び前記服薬関連音記録部を制御して前記服薬関連音を収集して記録するようにしたときは、患者が服薬用の水を飲むときの服薬関連音を、より確実かつ効率的に収集し記録できるようになる。
【００１８】
さらに、本発明において、（ａ）前記スピーカ制御部が計時部からの日時及び時刻情報に基づいて前記スピーカを制御し作動させるようにしたときは、例えば毎日の朝、昼、夕又は寝る前などの各服薬時間帯毎に確実に前記スピーカから各服薬時間帯又はそれが近づいたことを音声又はメロディその他の音響で患者に知らせることができ、また（ｂ）前記スピーカ制御部がインターネット上のサーバー（例えば調剤薬局等が運営するサーバー）からの情報に基づいて前記スピーカを制御し作動させるようにしたときは、例えば調剤薬局の薬剤師などの第三者が設定した任意の各時間帯に対応して、前記スピーカから、各服薬時間帯又はそれが近づいたことを音声又はメロディその他の音響で患者に知らせることができるようになる。
【図面の簡単な説明】
【００１９】
【図１】本発明の実施形態１に係る服薬確認装置を説明するための概略図である。
【図２】本発明の実施形態２に係る服薬確認装置を説明するための概略図である
【図３】本発明の実施形態３に係る服薬確認装置を説明するための概略図である
【発明を実施するための形態】
【００２０】
〔第１の実施形態〕
以下、本発明の実施形態１を図面を用いて説明する。図１は、本発明の実施形態１に係る服薬確認装置を示す概略図である。図１において、１は服薬用の水を入れるコップ、２は前記コップ１の開口部１ａ、開口縁部１ｂ及びその周辺を覆う蓋カバー部、３は前記コップ１及び蓋カバー部２を載置するコースターである。
【００２１】
また図１において、４は前記コップ１の側部（底部でもよい）に備えられたマイク（防水機能付きマイク）、５は前記コップ１の側部（底部でもよい）に内蔵され前記マイク４からの音データを受信して記録する記録部である。また、６は、前記コップ１の側部（底部でもよい）に内蔵され、後述のマイク制御部７との間でデータ等を送受信すると共に、後述の外部機器８との間でデータ等を無線送受信する送受信部である。また、７は、前記コップの側部（底部でもよい）に内蔵され、前記マイク４、前記記録部５及び前記送受信部６との間でデータ等を送受信するマイク制御部（マイクロコンピュータなどで構成される）である。なお、本実施形態１において、前記マイク制御部７は、日付及び時刻を計時する計時部（カレンダー情報及び時刻情報を出力する計時部）を内蔵している。
【００２２】
また図１において、８は、前記マイク制御部７との間で前記送受信部６を介してデータ等を送受信する機能、インターネット１５上のサーバー１６（例えば調剤薬局又は医療機関などが運営するサーバー）との間でデータ等を送受信する機能、前記マイク４が収集した服薬関連音のデータを前記送受信部６を介して受信して記録する機能などを有する、例えばスマートフォン又はパソコンなどにより構成される情報機器である。前記外部機器８は、例えば、前記マイク４が収集した服薬関連音データであって前記記録部５に記録された服薬関連音データを前記送受信部６から無線で受信して自らに内蔵等された記録媒体に記録し、さらにその服薬関連音データをインターネット１５に接続されたサーバー１６に送信して記録させたり、前記サーバー１６からの制御情報等を受信して前記マイク４及び前記スピーカ１１への制御信号を生成して前記マイク制御部７又は後述のスピーカ制御部１３などに無線送信するなどの動作を行うものである。前記外部機器８は、前記コップ１、前記蓋カバー部２又は前記コースータ３などとは離れた場所（例えば同一建物内の離れた場所など）に位置していることが想定されている。
【００２３】
また、図１において、１１は例えば前記蓋カバー部２の上部に設置されたボックス１０内において外部（患者など）へ音声等を発生できるように配置されたスピーカ（防水機能付きスピーカ）、１２は前記ボックス１０内に配置され前記外部機器８との間で信号又は情報を無線で送受信する送受信部、１３は前記ボックス１０内に配置され前記送受信部１２が受信した信号もしくは情報に基づいて又は自らが内蔵するプログラム等に基づいて前記スピーカ１１を制御するスピーカ制御部（マイクロコンピュータなどで構成される）である。本実施形態においては、前記スピーカ制御部１３は、日付及び時刻を計時する計時部（カレンダー情報及び時刻情報を出力する計時部）を内蔵している。
【００２４】
また、図１において、１４は、前記スピーカ制御部１３などの制御部からの制御信号又は前記外部機器８から無線送信される制御信号に基づいて、所定時間だけ、前記コップ１の開口部１ａ及びその周辺に向けて殺菌用の紫外線を照射する紫外線照射部である。図１の例では、前記紫外線照射部１４は、前記ボックス１０内のスピーカ制御部１３により制御されるように示しているが、前記紫外線照射部１４を制御する制御部を前記スピーカ制御部１３とは別個に備えることも可能である。
【００２５】
次に、本実施形態１の動作を説明する。前述のように、前記スピーカ制御部１３は、日付及び時刻を計時する計時部を内蔵している。また、本実施形態１において、前記サーバー１６には多数の各患者毎の各服薬時間帯が記録されており、前記サーバー１６からの当該患者の服薬時間帯情報が、インターネット１５経由で前記外部機器８に送信され、さらに前記外部機器８から前記送受信部１２を介して前記スピーカ制御部１３に送られる。そのため、図１に示すコップ１等を保有している患者の各服薬時間帯が近づいたとき、前記スピーカ制御部１３は、前記サーバー１６側からの当該患者の服薬時間帯情報、及び前記計時部が出力する日付及び時刻情報などに基づいて、当該患者の服薬時間帯又はそれに近い時刻となったことを当該患者に知らせるべく、前記スピーカ１１を制御して、例えば「お薬の時間です」などの音声やメロディその他の音響を前記スピーカ１１から出力させる。なお、本実施形態１では、以上の動作とは異なり、前記サーバー１６が各患者毎の服薬時間帯を略リアルタイムに管理するようにし、各患者の服薬時間帯になったとき、前記サーバー１６が略リアルタイムにインターネット１５及び前記外部機器８経由で前記スピーカ制御部１３に制御信号を送信して、前記スピーカ１１から前記「お薬の時間です」などの音声やメロディその他の音響を出力させるようにすることも可能である。
【００２６】
患者は、前記スピーカ１１からの「お薬の時間です」などの音声等の出力を受けて、一回服用分の薬剤を取り出し、前記コップ１に水を注ぎ入れて薬剤を服用する。このとき、前記コップ１の側部（底部でもよい）に内蔵された前記マイク制御部７が、同じく前記コップ１の側部（底部でもよい）に備えられた前記マイク４及び前記記録部５を制御して、前記服薬時において患者が水を飲む音などを含む服薬関連音を収集させ、その音を記録させる。また、前記マイク制御部７は、前記前記スピーカ制御部１３と同様に、日付及び時刻情報を出力する計時部を内蔵している。前記マイク制御部７は、前記マイク４及び前記記録部５を制御して前記マイク４が収集した各服薬関連音を前記記録部５に記録させるとき、前記各服薬関連音を前記計時部から出力される日付及び時刻情報とそれぞれ関連付けて、前記記録部５に記録させる。
【００２７】
前述のように、前記マイク制御部７が、前記マイク４により服薬関連音を収集させその音を前記記録部５に記録させるときのタイミング等を取得する方法には、様々な方法があり得るが、主なものとしては、例えば次のようなものがある。すなわち、例えば、前記マイク制御部７は、前記コップ１に備えられたマイクなどの音響センサ（前記マイク４により兼用されてもよい）からの音検出信号（患者が服薬のために前記容器内の水を飲用するときの音をマイク等の音響センサが検出したことを示す信号）に基づいて、当該音が続いている間だけ（又は予め決められた時間だけ）、前記マイク４が収集した周囲の音（服薬関連音）を前記記録部５に記録させる。なお、この場合、前記マイク４が患者の服薬関連音以外の音を収集することがないように、前記マイク４及び前記コップ１等を覆う蓋カバー部２は、外部からの音を遮断できる防音機能を有する素材等により作製されている。
【００２８】
また、例えば、前記マイク制御部７は、前記コップ１に備えられた水検知センサ（図示省略）が前記コップ１内に水が注がれたこと（患者が服薬のため前記コップ１に水を注ぎ入れたこと）を検出したとき、その検出信号を受けて、その時点から例えば数十秒間などの所定時間だけ、前記マイク４を作動させ、前記マイク４が収集した周囲の音（服薬関連音）を前記記録部５に記録させる。
【００２９】
また、例えば、前記マイク制御部７は、前記コップ１に備えられた傾きセンサ（図示省略）が前記コップ１が傾けられたこと（患者が前記コップ１内の水を飲むため前記コップ１を傾けたこと）を検出したとき、その検出信号を受けて、その時点から例えば数十秒間などの所定時間だけ、前記マイク４を作動させ、前記マイク４が収集した周囲の音（服薬関連音）を前記記録部５に記録させる。
【００３０】
さらに、例えば、前記マイク制御部７は、前記コップ１の開口縁部１ｂ又はその近傍部分に備えられた温度センサ（図示省略）が前記コップ１の開口縁部１ｂに体温を有する身体部分（患者の唇など）が接触したこと（患者が前記コップ１内の水を飲もうとして前記コップ１の開口縁部１ｂに自分の唇などの身体部分を接触させたこと）を検出したとき、その検出信号を受けて、その時点から例えば数十秒間などの所定時間だけ、前記マイク４を作動させ、前記マイク４が収集した周囲の音（服薬関連音）を前記記録部５に記録させる。
【００３１】
次に、前記マイク制御部７の制御により、前記マイク４が収集した服薬関連音は、前記記録部５に、前記計時部から出力された当該音収集時の日時データ（日付及び時刻）と関連付けられて記録される。さらに、前記記録部５に記録された前記服薬時における服薬関連音とその日時データは、前記マイク制御部７の制御により前記送受信部６を介して前記外部機器８に送信され、さらに前記外部機器８からインターネット１５上のサーバー１６に送信され記録される。
【００３２】
次に、患者は、服薬が終了したら、前記コップ１内の水を捨てて、前記コップ１を、その開口部１ａが上方となるように、前記コースター３の上に置き、その後、上方から、前記略箱状の蓋カバー部２をその開口部を下方に向けながら下降させて、前記蓋カバー部２で前記コップ１全体を覆うようにする（図１に示す状態）。すると、例えば前記スピーカ制御部１３などの制御部により、前記紫外線照射部１４が、例えば数分間などの所定時間だけ、殺菌用の紫外線を、前記コップ１の上方に向けて照射する。これにより、前記コップ１が殺菌される。なお、本実施形態１では、例えば、前記蓋カバー部２の内側に光センサ（照度センサ）を備えておき、この光センサが、前記蓋カバー部２の内側が明るい状態から暗い状態に移行したこと（すなわち、患者側が前記コップ１を使用しているため前記蓋カバー部２の開口部が上方に向けられて前記蓋カバー部２の内側が明るい状態から、前記コップ１の使用を止められて、前記蓋カバー部２がその内側により前記コップ１の全体を覆うように下降されて前記蓋カバー部２の内側が暗い状態に移行したこと）を検出したとき、その検出信号を受けた制御部（前記スピーカ制御部１３などで兼用される制御部でもよい）の制御により、前記検出信号が出力された時点から所定時間だけ、前記紫外線照射部１４から紫外線を前記コップ１に照射させるようにしてもよい。
【００３３】
以上のように、本実施形態１においては、患者が薬剤を服用するときに飲用する水を入れるコップ１に、患者が薬剤を服用するときの服薬関連音（患者が水を飲む音など）を収集するマイク４などを備えたので、患者が服薬する度に、その各服薬時における服薬関連音が、前記マイク４により収集され前記記録部５に記録されるようになる（前述のように、前記マイク４が収集した服薬関連音が前記記録部５に記録されるとき、前記計時部から出力される日付及び時刻情報と関連付けて記録される）。よって、本実施形態１によれば、調剤薬局の薬剤師や医療機関の医師などの第三者は、患者が薬剤を服用する様子を撮像した画像などのような患者のプライバシーに深く関わる情報を収集等しなくても、前記マイク４が収集した前記患者の各服薬時の服薬関連音及びその日時データ等（患者のプライバシーに関わらない情報）を確認するだけで、患者のプライバシーを十分に守りながら、患者が服薬時間帯を守って服薬したことを、容易に且つ確実に確認できるようになる。
【００３４】
また、本実施形態１においては、患者が薬剤を服用するときに飲用する水を入れるコップ１を覆う蓋カバー部２に、患者に対し服薬すべき時刻又は時間帯であることを音声又はメロディその他の音響で知らせるスピーカ１１を備えるようにしたので、患者に対し各服薬時間帯になったこと又はそれが近づいたことをその都度知らせて、患者が規則正しい服薬を行うように誘導することができる。
【００３５】
また、本実施形態１においては、前記マイク制御部７が、前記マイク４及び前記記録部５を制御して、患者が服薬のために前記コップ１内の水を飲用する度に、当該服薬時の服薬関連音（患者が水を飲む音など）を収集して記録するようにしたので、患者が服薬する度に発生する服薬関連音を、より適切かつ確実に収集できるようになる。
【００３６】
また、本実施形態１においては、前記マイク制御部７が、前記マイク４及び前記記録部５等を制御して前記服薬関連音を収集して記録すべきタイミング情報を、例えば、（ａ）前記コップ１に備えられたマイク４等の音響センサからの信号（患者が服薬のために前記コップ１内の水を飲用するときの音をマイクう等の音響センサが検出したことを示す信号）に基づいて、（ｂ）前記コップ１に備えられた水検知センサ（図示省略）からの信号（患者が服薬のために前記コップ１内に水を入れたことを前記水検知センサが検出したことを示す信号）に基づいて、（ｃ）前記コップ１に備えられた傾きセンサ（図示省略）からの信号（患者が服薬用の水を飲むために前記コップ１を傾けたことを前記傾きセンサが検出したことを示す信号）に基づいて、又は（ｄ）前記コップ１の開口縁部１ｂ又はその近傍部分に備えられた温度センサ（図示省略）からの信号（患者が服薬用の水を飲むために前記コップ１の開口縁部１ｂ又はその周辺に患者の唇などの体温を有する身体部分を接触させたことを前記温度センサが検出したことを示す信号）に基づいて、取得し、この取得したタイミング情報に基づいて前記マイク４及び前記記録部５を作動させるようにしたときは、患者が服薬用の水を飲むときの服薬関連音を、より確実かつ効率的に収集できるようになる。
【００３７】
また、本実施形態１においては、前記スピーカ制御部１３が、患者の服薬時間帯又はそれに近い時刻になる度に、患者に対し服薬時間帯であること又はそれが近づいたことを知らせる音声又はメロディその他の音響を出力するように、前記スピーカ１１を制御するようにしたので、患者に対し規則正しい服薬を行うように誘導することが容易にできるようになる。
【００３８】
また、本実施形態１においては、（ａ）前記マイク４が収集した服薬関連音を前記コップ１（前記蓋カバー部２又は前記コースター３でもよい）に内蔵した前記記録部５に記録するようにしたので、調剤薬局の薬剤師等の第三者は、例えば患者に前記コップ１を調剤薬局等に持参させて前記コップ１に内蔵された記録部５の音データを確認することにより、容易に、当該患者が規則正しい服薬をしていたかどうかを確認することができる。また、本実施形態１では、（ｂ）前記マイク４が収集した服薬関連音を前記記録部５から前記外部機器８に無線送信して前記外部機器８（スマートフォンなどの端末）にも記録させるようにしたので、調剤薬局の薬剤師等の第三者は、例えば患者に前記外部機器８（スマートフォンなどの端末）を調剤薬局等に持参させて前記外部機器８に記録された音データを確認することにより、容易に、当該患者が規則正しい服薬をしていたかどうかを確認することができる。さらに、本実施形態１では、（ｃ）前記マイク４が収集した服薬関連音を前記外部機器８などからインターネット１５上のサーバー１６に送信して前記サーバー１６（調剤薬局などが運営するサーバー）にも記録させるようにしたので、調剤薬局の薬剤師等の第三者は、例えば前記サーバー１６（調剤薬局などが運営するサーバー）に記録された当該患者の各服薬時間の日時に対応する各服薬関連音を確認することにより、容易に、当該患者が規則正しい服薬をしていたかどうかを確認することができる。
【００３９】
さらに、本実施形態において、（ａ）前記スピーカ制御部１３が前記計時部（図示省略）からの日時及び時刻情報に基づいて前記スピーカ１１を制御し作動させるようにしたときは、例えば毎日の朝、昼、夕又は寝る前などの各服薬時間帯毎に確実に前記スピーカ１１から各服薬時間帯又はそれが近づいたことを音声又はメロディその他の音響で患者に知らせることができ、また（ｂ）前記スピーカ制御部１３がインターネット１５上のサーバー１６（例えば調剤薬局等が運営するサーバー）からの情報に基づいて前記スピーカ１１を制御し作動させるようにしたときは、例えば調剤薬局の薬剤師などの第三者が入力又は設定した任意の各時間帯に随時対応して、前記スピーカ１１から、各服薬時間帯又はそれが近づいたことを音声又はメロディその他の音響で患者に知らせることができるようになる。
【００４０】
〔第２の実施形態〕
次に本発明の実施形態２を図面を用いて説明する。図２は本実施形態２に係る服薬確認装置を示す概略図である。図２において、図１と共通する部分には同一の符号を付して説明を省略する。
【００４１】
この図２に示す実施形態２においては、服薬時間帯又はそれが近いことを患者に音声等で知らせるスピーカ１１、前記スピーカ１１を制御するスピーカ制御部１３、前記外部機器８（及び前記外部機器８と接続されているインターネット１５上のサーバー１６）と信号又は情報を無線で送受信する送受信部１２が、前記コップ１の側部（底部でもよい）に備えられ（一部内蔵され）ている。このような構成に関して、本実施形態２は、前記実施形態１の構成（前記スピーカ１１、前記スピーカ制御部１３及び前記送受信部１２が前記蓋カバー部２上の前記ボックス１０内に設けられている構成）とは異なっているが、それ以外の点では、前記実施形態１と同様である。よって、本実施形態２によっても、前記実施形態１とほぼ同様の作用効果を奏することができる。
【００４２】
〔第３の実施形態〕
次に本発明の実施形態３を図面を用いて説明する。図３は本実施形態３に係る服薬確認装置を示す概略図である。図３において、図１，２と共通する部分には同一の符号を付して説明を省略する。
【００４３】
この図３に示す実施形態３においては、服薬時間帯又はそれが近いことを患者に音声等で知らせるスピーカ１１、前記スピーカ１１を制御するスピーカ制御部１３、前記外部機器８（及び前記外部機器８と接続されているインターネット１５上のサーバー１６）と信号又は情報を無線で送受信する送受信部１２が、前記コースター３の側部（底部でもよい）に備えられ（一部内蔵され）ている。このような構成に関して、本実施形態３は、前記実施形態１，２の構成（前記スピーカ１１、前記スピーカ制御部１３及び前記送受信部１２が前記蓋カバー部２上の前記ボックス１０内又は前記コップ１内に設けられている構成）とは異なっているが、それ以外の点では、前記実施形態１，２と同様である。よって、本実施形態３によっても、前記実施形態１，２とほぼ同様の作用効果を奏することができる。
【００４４】
以上、本発明の各実施形態１〜３について説明したが、本発明は前記各実施形態として述べたものに限定されるものではなく、様々な修正及び変更が可能である。例えば、前記実施形態１においては、服薬関連音を収集するマイク４と服薬時間帯であることを告知するスピーカ１１とを別個に構成したが、本発明では前記マイク４及びスピーカ１１の両者の機能を１つのハードウェアで実現（１つのハードウェアで兼用）させることも可能である。また、前記実施形態１においては、前記コップ１として取っ手がないタイプのものを例示したが、本発明ではこれに限定されるものではなく、前記容器として取っ手付きの容器（マグカップなど）を使用し、その取っ手の部分に前記マイク４及び／又はスピーカ１１などを備えるようにしてもよいことはもちろんである。
【符号の説明】
【００４５】
１    コップ
１ａ  開口部
１ｂ  開口縁部
２    蓋カバー部
３    コースター
４    マイク
５    記録部
６，１２     送受信部
７    マイク制御部
８    外部機器
１０  ボックス
１１  スピーカ
１３  スピーカ制御部
１４  紫外線照射部
１５  インターネット
１６  サーバー
【図１】
2019118766.tif 000003
【図２】
2019118766.tif 000004
【図３】
2019118766.tif 000005